(57)【特許請求の範囲】
【請求項１】
光通信路における通信状況の目視確認を目的として光通信路を通じて伝送される通信光を可視化するための通信光可視化モジュールに取り付けられる通信光可視化モジュール用アタッチメントであって、
前記通信光可視化モジュールに着脱自在に取り付けられるアタッチメント本体と、
前記アタッチメント本体に回転自在に装着されると共に前記アタッチメント本体を回転させるときの回転軸となる角型シャフトが挿入される回転機構と、
を備えていることを特徴とする通信光可視化モジュール用アタッチメント。
【請求項２】
前記アタッチメント本体は、前記通信光可視化モジュールの取り付けをガイドするガイド部と、前記ガイド部に形成されると共に前記通信光可視化モジュールを固定するツメ部と、を有している請求項１に記載の通信光可視化モジュール用アタッチメント。
【請求項３】
前記アタッチメント本体は、ポリプロピレン樹脂からなる請求項１又は２に記載の通信光可視化モジュール用アタッチメント。
【請求項４】
前記回転機構は、前記アタッチメント本体を回転させるときに所定の角度毎に回転抵抗を発生させる請求項１から３の何れか一項に記載の通信光可視化モジュール用アタッチメント。
【発明の詳細な説明】
【技術分野】
【０００１】
本発明は、光通信路における通信状況の目視確認を目的として光通信路を通じて伝送される通信光を可視化するための通信光可視化モジュールに取り付けられる通信光可視化モジュール用アタッチメントに関する。
【背景技術】
【０００２】
従来より、光通信関連設備においては、光通信路における通信状況（例えば、光通信路が使用中であるか否か）の目視確認を目的として光通信路を通じて伝送される通信光を可視化するための通信光可視化モジュールが採用されている。
【０００３】
通信光可視化モジュールは、例えば、ＳＣコネクタやＬＣコネクタ等の光コネクタが嵌挿されて光接続される複数の通信光可視化アダプタと、複数の通信光可視化アダプタが整列されて収容される筐体と、を備えている。
【０００４】
通信光可視化モジュールを光通信関連設備で使用する場合は、例えば、通信光可視化モジュールをパッチパネルに取り付けてサーバラックに纏めて収容することにより、通信光可視化モジュールを高密度に実装することが可能となる。
【先行技術文献】
【特許文献】
【０００５】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【発明の概要】
【発明が解決しようとする課題】
【０００６】
しかしながら、近年、光通信関連設備の既存空間を有効活用する観点から、サーバラックの他にも光成端箱や光キャビネットに通信光可視化モジュールを収容したいという要望がある。
【０００７】
そこで、本発明の目的は、通信光可視化モジュールを光成端箱や光キャビネット等の既存空間に収容することが可能な通信光可視化モジュール用アタッチメントを提供することにある。
【課題を解決するための手段】
【０００８】
本発明は、光通信路における通信状況の目視確認を目的として光通信路を通じて伝送される通信光を可視化するための通信光可視化モジュールに取り付けられる通信光可視化モジュール用アタッチメントであって、前記通信光可視化モジュールに着脱自在に取り付けられるアタッチメント本体と、前記アタッチメント本体に装着されると共に前記アタッチメント本体を回転させるときの回転軸となる角型シャフトが挿入される角型ベアリングと、を備えている通信光可視化モジュール用アタッチメントである。
【０００９】
前記アタッチメント本体は、前記通信光可視化モジュールの取り付けをガイドするガイド部と、前記ガイド部に形成されると共に前記通信光可視化モジュールを固定するツメ部と、を有していることが望ましい。
【００１０】
前記アタッチメント本体は、ポリプロピレン樹脂からなることが望ましい。
【００１１】
前記角型ベアリングは、前記アタッチメント本体を回転させるときに所定の角度毎に回転抵抗を発生させることが望ましい。
【発明の効果】
【００１２】
本発明によれば、通信光可視化モジュールを光成端箱や光キャビネット等の既存空間に収容することが可能な通信光可視化モジュール用アタッチメントを提供することができる。
【図面の簡単な説明】
【００１３】
【図１】本発明の実施の形態に係る通信光可視化モジュール用アタッチメントの構造を示す斜視図である。
【図２】本発明の実施の形態に係る通信光可視化モジュール用アタッチメントの使用方法を説明する図である。
【図３】本発明の実施の形態に係る通信光可視化モジュール用アタッチメントの使用方法を説明する図である。
【図４】本発明の実施の形態に係る通信光可視化モジュール用アタッチメントの使用方法を説明する図である。
【発明を実施するための形態】
【００１４】
以下、本発明の実施の形態を添付図面に順って説明する。
【００１５】
図１から図４に示す通り、本発明の実施の形態に係る通信光可視化モジュール用アタッチメント１００は、光通信路における通信状況の目視確認を目的として光通信路を通じて伝送される通信光を可視化するための通信光可視化モジュール１０１に取り付けられる。
【００１６】
通信光可視化モジュール１０１は、例えば、ＳＣコネクタやＬＣコネクタ等の光コネクタ（不図示）が嵌挿されて光接続される複数の通信光可視化アダプタ１０２と、複数の通信光可視化アダプタ１０２が整列されて収容される筐体１０３と、を有している。
【００１７】
通信光可視化アダプタ１０２は、光通信路（例えば、光ファイバ）の端部に取り付けられる光コネクタが嵌挿される嵌挿口１０４と、光コネクタが嵌挿口１０４に嵌挿されて自身と光接続されるときに光通信路を通じて伝送される通信光の一部が取り出される光取出孔１０５と、を有している。
【００１８】
嵌挿口１０４は、光コネクタの規格（例えば、ＪＩＳ）に準拠する形状に形成されている。光取出孔１０５は、光通信路における通信状況の目視確認を行うときに嵌挿される通信光検知器の受光部の形状と合致する形状に形成されている。
【００１９】
なお、光取出孔１０５は、通信光可視化モジュール１０１の内部の伝送損失発生部（例えば、光軸ズレ部）が位置するように設けられており、この伝送損失発生部を通じて取り出される通信光の一部を通信光可視化アダプタ１０２の内部から外部に向けて導光するものである。
【００２０】
筐体１０３は、複数の通信光可視化アダプタ１０２が一面（図示前面）に沿って整列されて配置されると共に光通信路の余長が収容されるケース１０６と、ケース１０６の一面（図示上面）を覆ってケース１０６を封止する上蓋１０７と、を有している。
【００２１】
ケース１０６と上蓋１０７は、光通信路における通信状況の目視確認を行うときの通信光検知器の誤作動を防止すべく、光通信路を通じて伝送される通信光の他、屋外の太陽光や室内の蛍光灯等の外光を透過させない材料で形成されている。
【００２２】
これは、光通信路における通信状況の目視確認を行うときは、光通信路を通じて伝送される通信光の一部を取り出す必要があるが、光通信路における伝送損失を低減する観点から、通信光の取り出しに伴う損失を出来る限り低減することが望ましいため、通信光の取り出しに伴う損失を低減しても、光通信路における通信状況の目視確認を確実に行えるように、屋外の太陽光や室内の蛍光灯等の外光が通信光検知器の受光部に到達することを防止する必要があるからである。
【００２３】
なお、筐体１０３は、光取出孔１０５を閉塞させたり開放させたりするための保護蓋（不図示）を更に有していても構わないが、後述の通り、通信光可視化モジュール用アタッチメント１００を使用して通信光可視化モジュール１０１を多段に積載して収容することにより、下段に配置される通信光可視化モジュール１０１の光取出孔１０５が上段に配置される通信光可視化モジュール１０１で覆われて保護されるため、最上段に配置される通信光可視化モジュール１０１のみに保護蓋を取り付ければ十分である。
【００２４】
さて、本発明の実施の形態に係る通信光可視化モジュール用アタッチメント１００は、通信光可視化モジュール１０１に着脱自在に取り付けられるアタッチメント本体１０８と、アタッチメント本体１０８に装着されると共にアタッチメント本体１０８を回転させるときの回転軸となる角型シャフト１０９が挿入される角型ベアリング１１０と、を備えている。
【００２５】
アタッチメント本体１０８は、角型ベアリング１１０が装着される基部１１１と、基部１１１の両端側から平行して延在されると共に通信光可視化モジュール１０１を挟持するための一対の側部１１２と、一対の側部１１２が延在される方向に沿って基部１１１の底側から水平に延在されると共に通信光可視化モジュール１０１を支持するための底部１１３と、を有している。
【００２６】
また、アタッチメント本体１０８は、一対の側部１１２の相互に対向する側面に形成されると共に通信光可視化モジュール１０１の取り付けをガイドするガイド部１１４と、ガイド部１１４に形成されると共に通信光可視化モジュール１０１を固定するツメ部１１５と、を有している。
【００２７】
ガイド部１１４は、一対の側部１１２が延在する方向に沿って突出する凸部からなり、ツメ部１１５は、一対の側部１１２の先端側に位置するガイド部１１４の端部に形成されている。これらに対応するように、通信光可視化モジュール１０１は、ガイド部１１４を受け入れるための溝部１１６と、ツメ部１１５を係合させるための穴部１１７と、を更に有している。
【００２８】
更に、アタッチメント本体１０８は、ポリプロピレン樹脂からなることが望ましい。ポリプロピレン（ＰＰ）樹脂は、筐体１０３の材料であるポリブチレンテレフタレート（ＰＢＴ）樹脂、アクリロニトリル−ブタジエン−スチレン共重合体（ＡＢＳ）樹脂、又はポリカーボネート（ＰＣ）樹脂等と比較して柔らかいため、アタッチメント本体１０８がポリプロピレン樹脂からなることにより、通信光可視化モジュール１０１とアタッチメント本体１０８との着脱が容易となる。
【００２９】
角型シャフト１０９は、例えば、断面が四角形状の棒状体からなり、その棒状体の下端は、光成端箱や光キャビネット等に固定されている。また、角型ベアリング１１０は、例えば、外周面が八角形状のナットからなり、そのナットは、アタッチメント本体１０８の基部１１１に回転自在に装着されている。
【００３０】
更に、角型ベアリング１１０は、アタッチメント本体１０８を回転させるときに所定の角度毎に回転抵抗を発生させることが望ましい。これにより、通信光可視化モジュール１０１がそれに接続される光通信路の重みで不用意に回転されることを防止することができる。所定の角度毎に回転抵抗を発生させる機構としては、例えば、ラチェット機構が挙げられる。
【００３１】
通信光可視化モジュール１０１を光通信関連設備で使用する場合は、ガイド部１１４と溝部１１６とを一致させながら通信光可視化モジュール用アタッチメント１００を通信光可視化モジュール１０１にスライドさせて取り付け、その角型ベアリング１１０を光成端箱や光キャビネット等の既存空間に設けられる角型シャフト１０９に挿入することにより、通信光可視化モジュール１０１を光成端箱や光キャビネット等の既存空間に多段に積載して収容することが可能となる。
【００３２】
そして、光通信路における通信状況の目視確認を行う場合は、通信状況の目視確認を行いたい光通信路に接続される通信光可視化アダプタ１０２が収容される通信光可視化モジュール１０１を角型シャフト１０９を回転軸として回転させて他の通信光可視化モジュール１０１と位置ズレさせることにより、通信状況の目視確認を行いたい光通信路に接続される通信光可視化アダプタ１０２の光取出孔１０５を露出させると共に、その光取出孔１０５に通信光検知器の受光部を嵌挿することにより、通信状況の目視確認を行いたい光通信路における通信状況を確認することが可能となる。
【００３３】
また、アタッチメント本体１０８を既存の通信光可視化モジュール１０１に取り付け可能な形状に形成することにより、既存の通信光可視化モジュール１０１をそのまま光成端箱や光キャビネット等の既存空間に収容することが可能となる。
【００３４】
以上の通り、本発明によれば、通信光可視化モジュール１０１を光成端箱や光キャビネット等の既存空間に収容することが可能な通信光可視化モジュール用アタッチメント１００を提供することができる。
【符号の説明】
【００３５】
１００  通信光可視化モジュール用アタッチメント
１０１  通信光可視化モジュール
１０２  通信光可視化アダプタ
１０３  筐体
１０５  光取出孔
１０６  ケース
１０７  上蓋
１０８  アタッチメント本体
１０９  角型シャフト
１１０  角型ベアリング
１１１  基部
１１２  側部
１１３  底部
１１４  ガイド部
１１５  ツメ部
１１６  溝部
１１７  穴部
【図１】
0006575246.tif 000002
【図２】
0006575246.tif 000003
【図３】
0006575246.tif 000004
【図４】
0006575246.tif 000005